(57)【特許請求の範囲】
【請求項１】
移動体の進行方向の実風景、又は前記実風景を撮影することにより得られた実写画像に重ね合わせて、案内情報を表示させる表示制御手段と、
前記移動体が位置している道路の傾斜角度に応じて、前記表示制御手段による前記案内情報のうち、目的地までの経路に関する情報の表示を制限し、他の案内情報を表示する制御を行う制御手段と、を備えることを特徴とする画像表示装置。
【請求項２】
前記制御手段は、前記実風景又は前記実写画像中の案内対象に対して前記目的地までの経路に関する情報がずれて表示されるような走行状態である場合に、前記目的地までの経路に関する情報の表示を制限することを特徴とする請求項１に記載の画像表示装置。
【請求項３】
前記制御手段は、所定量以上の前記実風景又は前記実写画像の変化を生じさせるような走行状態である場合に、前記目的地までの経路に関する情報の表示を制限することを特徴とする請求項１又は２に記載の画像表示装置。
【請求項４】
前記制御手段は、前記走行状態を検出するセンサの出力に基づいて、前記目的地までの経路に関する情報の表示を制限する制御を行うことを特徴とする請求項２又は３に記載の画像表示装置。
【請求項５】
前記制御手段は、自車位置に比較的近い場所についてのランドマークや登録地点のみを非表示とし、自車位置からある程度離れた場所についてのランドマークや登録地点は表示することを特徴とする請求項１乃至４のいずれか一項に記載の画像表示装置。
【請求項６】
前記制御手段は、地図データに基づいて前記走行状態を判断して、前記目的地までの経路に関する情報の表示を制限する制御を行うことを特徴とする請求項２又は３に記載の画像表示装置。
【請求項７】
前記制御手段は、所定の地点までの距離が所定値未満となった際に、前記目的地までの経路に関する情報の表示を制限すべき走行状態であると判断して、当該目的地までの経路に関する情報の表示を制限することを特徴とする請求項６に記載の画像表示装置。
【請求項８】
前記制御手段は、前記距離が前記所定値未満となった際に、前記目的地までの案内ルートを非表示とすることを特徴とする請求項７に記載の画像表示装置。
【請求項９】
画像表示装置によって実行される画像表示方法であって、
移動体の進行方向の実風景、又は前記実風景を撮影することにより得られた実写画像に重ね合わせて、案内情報を表示させる表示制御工程と、
前記移動体が位置している道路の傾斜角度に応じて、前記表示制御工程による前記案内情報のうち、目的地までの経路に関する情報の表示を制限し、他の案内情報を表示する制御を行う制御工程と、を備えることを特徴とする画像表示方法。
【請求項１０】
コンピュータを有する画像表示装置によって実行される画像表示プログラムであって、
前記コンピュータを、
移動体の進行方向の実風景、又は前記実風景を撮影することにより得られた実写画像に重ね合わせて、案内情報を前記実風景、又は前記実写画像に含まれる案内対象に対して所定の位置又は角度をもって表示させる表示制御手段、
前記移動体が位置している道路の傾斜角度に応じて、前記表示制御手段による前記案内情報のうち、目的地までの経路に関する情報の表示を制限し、他の案内情報を表示する制御を行う制御手段、として機能させることを特徴とする画像表示プログラム。
【請求項１１】
移動体の進行方向の実風景、又は前記実風景を撮影することにより得られた実写画像に重ね合わせて、案内情報を表示させる表示制御手段と、
前記移動体が位置している道路の傾斜角度に応じて、前記表示制御手段による前記案内情報のうち、案内地点における進行方向を示す情報の表示を制限し、案内地点を示す情報を表示する制御を行う制御手段と、を備えることを特徴とする画像表示装置。
【請求項１２】
画像表示装置によって実行される画像表示方法であって、
移動体の進行方向の実風景、又は前記実風景を撮影することにより得られた実写画像に重ね合わせて、案内情報を表示させる表示制御工程と、
前記移動体が位置している道路の傾斜角度に応じて、前記表示制御工程による前記案内情報のうち、案内地点における進行方向を示す情報の表示を制限し、案内地点を示す情報を表示する制御を行う制御工程と、を備えることを特徴とする画像表示方法。
【請求項１３】
コンピュータを有する画像表示装置によって実行される画像表示プログラムであって、
前記コンピュータを、
移動体の進行方向の実風景、又は前記実風景を撮影することにより得られた実写画像に重ね合わせて、案内情報を前記実風景、又は前記実写画像に含まれる案内対象に対して所定の位置又は角度をもって表示させる表示制御手段、
前記移動体が位置している道路の傾斜角度に応じて、前記表示制御手段による前記案内情報のうち、案内地点における進行方向を示す情報の表示を制限し、案内地点を示す情報を表示する制御を行う制御手段、として機能させることを特徴とする画像表示プログラム。
【発明の詳細な説明】
【技術分野】
【０００１】
本発明は、移動体の進行方向の実風景や実風景を撮影した実写画像に重ね合わせて案内情報などを表示する技術分野に関する。
【背景技術】
【０００２】
近年、車両の進行方向の風景をカメラによって撮影し、撮影により得られた実写画像上に、ナビゲーション情報などの案内情報を表示させる技術（以下では、このような表示を適宜「ＡＲ（Augmented Reality）表示」と呼ぶ。）が提案されている。例えば、特許文献１には、カメラで取得された実写画像上に、案内ルートを重ね合わせて表示させる技術が記載されている。具体的には、特許文献１には、このような実写画像を用いたルート案内表示が見え難い場合に、地図データなどに基づいて生成したバーチャル画像（ＣＧ画像）による案内画面に切り替えることが記載されている。【０００３】
なお、上記した「ＡＲ表示」には、ヘッドアップディスプレイなどの装置を用いて、車両の進行方向の実風景に重畳して案内情報などを表示させる技術も含まれる。
【先行技術文献】
【特許文献】
【０００４】
【特許文献１】特開２００８−２４１２７６号公報
【発明の概要】
【発明が解決しようとする課題】
【０００５】
ところで、上記したようなＡＲ表示を行った場合、車両の走行状態によっては、実写画像や実風景に対して、案内情報がずれて表示されてしまう可能性があった。具体的には、案内情報が案内対象に対して遅れて表示されてしまう可能性があった。そのため、車両の走行状態によっては、適切に案内を行うことができないという可能性があった。なお、特許文献１には、このような不具合に対処する手法などについては記載されていない。【０００６】
本発明が解決しようとする課題としては、上記のものが一例として挙げられる。本発明は、移動体の走行状態に応じて、案内情報の表示を適切に制御することが可能な画像表示装置、画像表示方法及び画像表示プログラムを提供することを主な目的とする。
【課題を解決するための手段】
【０００７】
請求項１に記載の発明では、画像表示装置は、移動体の進行方向の実風景、又は前記実風景を撮影することにより得られた実写画像に重ね合わせて、案内情報を表示させる表示制御手段と、前記移動体が位置している道路の傾斜角度に応じて、前記表示制御手段による前記案内情報のうち、目的地までの経路に関する情報の表示を制限し、他の案内情報を表示する制御を行う制御手段と、を備える。
【０００８】
請求項９に記載の発明では、画像表示装置によって実行される画像表示方法は、移動体の進行方向の実風景、又は前記実風景を撮影することにより得られた実写画像に重ね合わせて、案内情報を表示させる表示制御工程と、前記移動体が位置している道路の傾斜角度に応じて、前記表示制御工程による前記案内情報のうち、目的地までの経路に関する情報の表示を制限し、他の案内情報を表示する制御を行う制御工程と、を備える。
【０００９】
請求項１０に記載の発明では、コンピュータを有する画像表示装置によって実行される画像表示プログラムは、前記コンピュータを、移動体の進行方向の実風景、又は前記実風景を撮影することにより得られた実写画像に重ね合わせて、案内情報を前記実風景、又は前記実写画像に含まれる案内対象に対して所定の位置又は角度をもって表示させる表示制御手段、前記移動体が位置している道路の傾斜角度に応じて、前記表示制御手段による前記案内情報のうち、目的地までの経路に関する情報の表示を制限し、他の案内情報を表示する制御を行う制御手段、として機能させる。
請求項１１に記載の発明では、画像表示装置は、移動体の進行方向の実風景、又は前記実風景を撮影することにより得られた実写画像に重ね合わせて、案内情報を表示させる表示制御手段と、前記移動体が位置している道路の傾斜角度に応じて、前記表示制御手段による前記案内情報のうち、案内地点における進行方向を示す情報の表示を制限し、案内地点を示す情報を表示する制御を行う制御手段と、を備える。
請求項１２に記載の発明では、画像表示装置によって実行される画像表示方法は、移動体の進行方向の実風景、又は前記実風景を撮影することにより得られた実写画像に重ね合わせて、案内情報を表示させる表示制御工程と、前記移動体が位置している道路の傾斜角度に応じて、前記表示制御工程による前記案内情報のうち、案内地点における進行方向を示す情報の表示を制限し、案内地点を示す情報を表示する制御を行う制御工程と、を備える。
請求項１３に記載の発明では、コンピュータを有する画像表示装置によって実行される画像表示プログラムは、前記コンピュータを、移動体の進行方向の実風景、又は前記実風景を撮影することにより得られた実写画像に重ね合わせて、案内情報を前記実風景、又は前記実写画像に含まれる案内対象に対して所定の位置又は角度をもって表示させる表示制御手段、前記移動体が位置している道路の傾斜角度に応じて、前記表示制御手段による前記案内情報のうち、案内地点における進行方向を示す情報の表示を制限し、案内地点を示す情報を表示する制御を行う制御手段、として機能させる。
【図面の簡単な説明】
【００１０】
【図１】実施例に係るシステムの構成例を示す。
【図２】ナビゲーション装置の概略構成を示す。
【図３】ヘッドアップディスプレイの概略構成を示す。
【図４】表示ずれの一例を示す。
【図５】第１実施例による表示例を示す。
【図６】第１実施例に係る処理フローを示す。
【図７】第２実施例に係る処理フローを示す。
【発明を実施するための形態】
【００１１】
本発明の１つの観点では、画像表示装置は、移動体の進行方向の実風景、又は前記実風景を撮影することにより得られた実写画像に重ね合わせて、案内情報を前記実風景又は、前記実写画像に含まれる案内対象に対して所定の位置又は角度をもって表示させる表示制御手段と、前記移動体の走行状態に応じて、前記表示制御手段による前記案内情報の表示を制限する制御を行う制限手段と、を備える。
【００１２】
上記の画像表示装置は、移動体の進行方向の実風景、又は実風景を撮影することにより得られた実写画像に重ね合わせて、案内情報を表示させる。例えば、案内情報は、目的地までのルート（案内ルート）や、所定の施設や場所を示す情報などであり、実風景又は実写画像に含まれる道路や施設などの案内対象に対して表示される。制限手段は、移動体の走行状態に応じて、案内情報の表示を制限する制御を行う。例えば、制限手段は、案内情報を非表示とする。このように走行状態に応じて案内情報の表示を制限することで、実風景又は実写画像に含まれる案内対象に対して案内情報がずれて表示されてしまうことを抑制することが可能となる。
【００１３】
上記の画像表示装置の一態様では、前記制限手段は、前記実風景又は前記実写画像中の案内対象に対して前記案内情報がずれて表示されるような走行状態である場合に、前記案内情報の表示を制限する。例えば、当該走行状態としては、所定量以上の実風景又は実写画像の変化を生じさせるような走行状態が挙げられる。なお、「所定量」は、案内情報がずれて表示されてしまうといった現象が生じるような実風景又は実写画像における変化量に相当し、画像表示装置の通信速度や描画処理能力などにより定められる。
【００１４】
上記の画像表示装置の他の一態様では、前記制限手段は、前記走行状態を検出するセンサの出力に基づいて、前記案内情報の表示を制限する制御を行う。この態様によれば、センサの出力に基づいて、案内対象に対して案内情報がずれて表示されてしまうといった現象が生じるような走行状態であるか否かを判断して、案内情報の表示を制限することができる。好適な例では、前記制限手段は、前記移動体の進行方向の単位時間当たりの方位変化量が所定値以上である場合に、前記案内情報の表示を制限することができる。例えば、前記制限手段は、前記進行方向の単位時間当たりの方位変化量が前記所定値以上である場合に、所定の施設及び地点を示す情報、並びに前記案内情報として設定した目的地までの案内ルートを非表示とする。
【００１５】
また、他の好適な例では、前記制限手段は、前記移動体の速度が所定値以上である場合に、前記案内情報の表示を制限する。例えば、前記制限手段は、前記速度が前記所定値以上である場合に、所定の施設及び地点を示す情報を非表示とする。
【００１６】
上記の画像表示装置の他の一態様では、前記制限手段は、地図データに基づいて前記走行状態を判断して、前記案内情報の表示を制限する制御を行う。この態様によれば、地図データに基づいて、案内情報がずれて表示されてしまうといった現象が生じるような走行状態であるか否かを判断して、案内情報の表示を制限することができる。好適な例では、前記制限手段は、所定の地点までの距離が所定値未満となった際に、前記案内情報の表示を制限すべき走行状態であると判断して、当該案内情報の表示を制限する。例えば、前記制限手段は、前記距離が前記所定値未満となった際に、前記案内情報として設定した目的地までの案内ルートを非表示とする。
【００１７】
本発明の他の観点では、画像表示装置によって実行される画像表示方法は、移動体の進行方向の実風景、又は前記実風景を撮影することにより得られた実写画像に重ね合わせて、案内情報を前記実風景、又は前記実写画像に含まれる案内対象に対して所定の位置又は角度をもって表示させる表示制御工程と、前記移動体の走行状態に応じて、前記表示制御工程による前記案内情報の表示を制限する制御を行う制限工程と、を備える。
【００１８】
本発明の更に他の観点では、コンピュータを有する画像表示装置によって実行される画像表示プログラムは、前記コンピュータを、移動体の進行方向の実風景、又は前記実風景を撮影することにより得られた実写画像に重ね合わせて、案内情報を前記実風景、又は前記実写画像に含まれる案内対象に対して所定の位置又は角度をもって表示させる表示制御手段、前記移動体の走行状態に応じて、前記表示制御手段による前記案内情報の表示を制限する制御を行う制限手段、として機能させる。
【実施例】
【００１９】
以下、図面を参照して本発明の好適な実施例について説明する。【００２０】
［システム構成］
図１は、本実施例に係るシステムの構成例を示す。図１に示すように、当該システムは、ナビゲーション装置１と、ヘッドアップディスプレイ２とを備える。また、当該システムは、車両に搭載される。【００２１】
ナビゲーション装置１は、出発地から目的地までの経路案内を行う機能などを有する。ナビゲーション装置１は、例えば、車両に設置される据え置き型のナビゲーション装置、ＰＮＤ（Portable Navigation Device）、又はスマートフォンなどの携帯電話とすることができる。【００２２】
ヘッドアップディスプレイ２は、現在位置を含む地図情報や経路案内情報、走行速度、その他運転を補助する情報を表示する画像を生成し、当該画像を運転者の目の位置（アイポイント）から虚像として視認させる装置である。ヘッドアップディスプレイ２には、車両の現在位置、車両の走行速度、地図情報、及び施設データなどの各種情報がナビゲーション装置１から供給される。ヘッドアップディスプレイ２は、本発明における「画像表示装置」の一例である。【００２３】
なお、ナビゲーション装置１がスマートフォンなどの携帯電話である場合、ナビゲーション装置１は、クレードルなどによって保持されても良い。この場合、ナビゲーション装置１は、クレードルなどを介して、ヘッドアップディスプレイ２と情報の授受を行うこととしても良い。【００２４】
［ナビゲーション装置の構成］
図２は、ナビゲーション装置１の構成を示す。図２に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、インタフェース３９、表示ユニット４０、音声出力ユニット５０、及び入力装置６０を備える。【００２５】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。【００２６】
ＧＰＳ受信機１８は、複数のＧＰＳ衛星から、測位用データを含む下り回線データを搬送する電波１９を受信する。測位用データは、緯度及び経度情報等から車両の絶対的な位置（以下では、「現在位置」と呼ぶ。）を検出するために用いられる。【００２７】
システムコントローラ２０は、インタフェース２１、ＣＰＵ（Central Processing Unit）２２、ＲＯＭ（Read Only Memory）２３及びＲＡＭ（Random Access Memory）２４を含んでおり、ナビゲーション装置１全体の制御を行う。【００２８】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。【００２９】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。【００３０】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。データ記憶ユニット３６は、例えば、ＨＤＤなどにより構成され、地図データなどのナビゲーション処理に用いられる各種データを記憶するユニットである。通信装置３８は、例えば、ＦＭチューナやビーコンレシーバ、携帯電話や専用の通信カードなどにより構成され、ＶＩＣＳ（Vehicle Information Communication System）センタなどから配信される情報（「ＶＩＣＳ」は登録商標である。）を電波３９より取得する。そしてインタフェース３７は、通信装置３８のインタフェース動作を行い、ＶＩＣＳ情報をシステムコントローラ２０等に入力する。また、通信装置３８は、ＧＰＳ受信機１８から取得した現在位置の情報などをヘッドアップディスプレイ２に送信する。【００３１】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Video RAM）等のメモリからなり即時表示可能な画像情報を一時的に記憶するバッファメモリ４２と、グラフィックコントローラ４１から出力される画像データに基づいて、液晶等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。【００３２】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Digital to Analog）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。【００３３】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式の場合、ディスプレイ４４の表示画面上に設けられたタッチパネルも入力装置６０として機能する。【００３４】
本実施例では、ナビゲーション装置１は、車両の現在位置などに基づいて、ユーザを案内するための案内情報を生成し、当該案内情報をヘッドアップディスプレイ２に送信する。案内情報は、目的地までのルート（案内ルート）や、所定の施設や場所を示す情報などであり、道路や施設などの所定の案内対象に対して表示される。ルートは、ナビゲーション装置１によって、データ記憶ユニット３６に記憶された地図データなどに基づいて求められる。所定の施設や場所を示す情報は、ランドマークの情報や、ユーザが登録した施設や場所を示す情報などであり、例えば地図データとしてデータ記憶ユニット３６に記憶されている。【００３５】
［ヘッドアップディスプレイの構成］
図３は、ヘッドアップディスプレイ２の概略構成図である。図３に示すように、本実施例に係るヘッドアップディスプレイ２は、光源ユニット３と、コンバイナ９とを備え、フロントウィンドウ２５、天井部２７、ボンネット２８、及びダッシュボード２９などを備える車両に取り付けられる。【００３６】
光源ユニット３は、支持部材５ａ、５ｂを介して車室内の天井部２７に設置され、運転を補助する情報を示す画像を構成する光を、コンバイナ９に向けて出射する。具体的には、光源ユニット３は、制御部４の制御に基づき、光源ユニット３内に表示像の元画像（実像）を生成し、その画像を構成する光をコンバイナ９へ出射することで、コンバイナ９を介して運転者に虚像「Ｉｖ」を視認させる。例えば、光源ユニット３は、レーザ光源やＬＣＤ光源などの光源を有しており、光源から光を出射する。【００３７】
コンバイナ９は、光源ユニット３から出射される表示像が投影されると共に、表示像を運転者のアイポイントＰｅへ反射することで当該表示像を虚像Ｉｖとして表示させる。そして、コンバイナ９は、天井部２７に設置された支持軸部８を有し、支持軸部８を支軸として回動する。支持軸部８は、例えば、フロントウィンドウ２５の上端近傍の天井部２７、言い換えると運転者用の図示しないサンバイザが設置される位置の近傍に設置される。なお、支持軸部８は、上述のサンバイザに代えて設置されてもよい。【００３８】
制御部４は、図示しないＣＰＵやＲＡＭ、ＲＯＭなどを有し、ヘッドアップディスプレイ２の全般的な制御を行う。制御部４は、ナビゲーション装置１と通信が可能であり、上記したような案内情報をナビゲーション装置１から受信する。そして、制御部４は、コンバイナ９を透して観察される実風景に重畳させて、案内情報を表示させる制御を行う。つまり、ＡＲ表示のための制御を行う。例えば、制御部４は、案内情報としてのルートに対応する虚像が、コンバイナ９を通して観察される実風景中の当該ルートに対応する道路に応じた位置に、重畳して視認されるように制御を行う。また、例えば、制御部４は、案内情報としての施設や場所を示す情報に対応する虚像が、コンバイナ９を通して観察される実風景中の当該施設や当該場所に応じた位置に、重畳して視認されるように制御を行う。なお、制御部４は、本発明における「表示制御手段」及び「制限手段」の一例である。【００３９】
なお、図３に示したように、コンバイナ９を用いて画像を表示させることに限定はされず、コンバイナ９の代わりにフロントガラスを用いて画像を表示させても良い。また、光源ユニット３を天井部２７に設置することに限定はされず、天井部２７の代わりにダッシュボード２９の内部に光源ユニット３を設置しても良い。【００４０】
［制御方法］
次に、本実施例において、ヘッドアップディスプレイ２内の制御部４が行う制御方法について説明する。【００４１】
本実施例では、制御部４は、車両の走行状態に応じて、案内情報の表示を制限する制御を行う。具体的には、制御部４は、実風景（コンバイナ９を通して観察される実風景）に対して案内情報がずれて表示されるような走行状態である場合に、案内情報の表示を制限する。実風景に対して案内情報がずれて表示されてしまうといった現象は、例えば、車両の進行方向の実風景が大きく変わるような走行状態において生じ得る。制御部４は、そのような走行状態において、案内情報の一部を非表示としたり（残りの案内情報は表示させる）、案内情報の全部を非表示としたりする制御を行う。【００４２】
上記のような制御を行う理由を、図４を参照して具体的に説明する。ここでは、本実施例に係る制御を行わなかった場合（つまり案内情報の表示を制限しなかった場合）について説明する。なお、図４では、説明の便宜上、実風景をイラストにて示している（後述する図５も同様とする）。【００４３】
図４（ａ）及び（ｂ）は、運転者がコンバイナ９を透して視認する像の一例を示している。図４（ａ）は、車両が前方の案内地点（交差点）に向かって直進している最中の図を示している。この際には、設定されたルート７０ａと、案内地点で左折すべきことを示す矢印７０ｂと、案内地点を示す旗７０ｃと、が案内情報として表示されている（ルート７０ａ、矢印７０ｂ及び旗７０ｃは虚像である）。これより、ルート７０ａ、矢印７０ｂ及び旗７０ｃが、実風景に対して適切に表示されていることがわかる。具体的には、ルート７０ａは、対応する道路に応じた位置に表示されていると共に、当該道路の形状に一致していることがわかる。また、矢印７０ｂ及び旗７０ｃは、案内地点としての交差点の位置に適切に表示されていることがわかる。【００４４】
図４（ｂ）は、車両が図４（ａ）に示した案内地点（交差点）を旋回している最中に、表示ずれが生じた場合を説明するための図を示している。このように、旋回中にルート７１ａ、矢印７１ｂ及び旗７１ｃが、案内情報として表示されている）と、これら、ルート７１ａ、矢印７１ｂ及び旗７１ｃが、実風景に対してずれて表示されていることがわかる。具体的には、本来ならば前方に延びる道路を直進すべきことを示すルートが表示されるところ、左折すべきことを示すルート７１ａが表示されており、案内地点を通り過ぎたにも関わらず、矢印７１ｂ及び旗７１ｃも表示されている。つまり、旋回する直前に表示されていた案内情報がそのまま表示されていると言える。言い換えると、案内情報が遅れて表示されていると言える。【００４５】
図４（ｂ）に示すような現象（以下では単に「表示ずれ」と呼ぶ。）は、ナビゲーション装置１とヘッドアップディスプレイ２との通信遅れや、ヘッドアップディスプレイ２での描画処理の遅れなどにより生じ得る。特に、交差点での旋回中には表示すべき対象が多いため、表示ずれが生じる可能性があり、このような表示ずれが生じた場合には、案内情報について違和感や誤認識などをユーザに生じさせてしまう可能性がある。例えば、図４（ｂ）に示したような表示ずれが生じた場合には、道路が存在しない方向（左方向）に案内されているとの誤解をユーザに生じさせてしまう可能性がある。【００４６】
したがって、本実施例では、このような表示ずれに対して対処すべく、表示ずれが生じるような走行状態である場合に、案内情報の表示を制限する。具体的には、制御部４は、車両の進行方向の実風景が大きく変わるような走行状態である場合に、表示ずれが生じるような走行状態であると判断して、案内情報の表示を制限する。例えば、制御部４は、ナビゲーション装置１内の自立測位装置１０からの出力を取得して、当該出力に基づいて走行状態を判断して、案内情報の表示を制限する制御を行う。【００４７】
以下では、上記した制御方法の具体例（第１実施例及び第２実施例）について説明する。【００４８】
（第１実施例）
第１実施例では、車両が旋回している際に（ここでの「旋回」は車両が右折又は左折している走行状態を意味する。以下同様とする。）、案内情報の表示を制限する。つまり、第１実施例では、車両が旋回している場合には、車両の進行方向の実風景が大きく変わることで案内対象に対する表示ずれが生じ得るものと判断して、案内情報の表示を制限する。具体的には、制御部４は、車両の方位変化量（言い換えると旋回速度）が所定値以上である場合に、案内情報の表示を制限する。例えば、制御部４は、車両の進行方向に対する単位時間当たりの方位変化量が所定値以上である場合に、案内情報としてのルートを非表示とする。【００４９】
図５は、第１実施例による表示例を示している。つまり、上記単位時間当たりの方位変化量が所定値以上であるために案内情報の表示を制限した場合の表示例を示している。図５（ａ）及び（ｂ）は、車両が図４（ａ）に示した案内地点（交差点）を旋回している最中において、運転者がコンバイナ９を透して視認する像を示している。なお、図５（ａ）及び（ｂ）における実風景の部分は、図４（ｂ）と同様である。【００５０】
図５（ａ）は、第１実施例における第１の表示例を示している。図５（ａ）に示すように、第１の表示例においては、制御部４は、全ての案内情報を非表示とする。具体的には、制御部４は、図４（ｂ）に示したルート７１ａ、矢印７１ｂ及び旗７１ｃの全てを非表示とする。これにより、上記したような表示ずれを適切に抑制することができる。そのため、表示ずれによる違和感や誤認識などを適切に抑制することが可能となる。【００５１】
図５（ｂ）は、第１実施例における第２の表示例を示している。図５（ｂ）に示すように、第２の表示例においては、制御部４は、一部の案内情報のみを非表示とする。具体的には、制御部４は、図４（ｂ）に示したものと同様の旗７１ｃのみを表示させ、図４（ｂ）に示したルート７１ａ及び矢印７１ｂを非表示とする。第２の表示例では、ルート７１ａ及び矢印７１ｂを表示させると、表示ずれにより違和感や誤認識を生じさせてしまう可能性があるため、これらを非表示とし、旗７１ｃについては、表示ずれにより違和感や誤認識を生じさせてしまう可能性は低いものとして、そのまま表示している。このような第２の表示例によっても、表示ずれによる違和感や誤認識などを適切に抑制することが可能となる。【００５２】
図６は、第１実施例に係る処理フローを示している。この処理フローは、ヘッドアップディスプレイ２内の制御部４によって繰り返し実行される。【００５３】
まず、ステップＳ１０１では、制御部４は、ナビゲーション装置１内の自立測位装置１０（具体的には角速度センサ１２）によって検出された方位変化量［ｄｅｇ］を取得し、当該方位変化量［ｄｅｇ］を所定時間積算する。例えば、当該方位変化量は、１００［ｍｓｅｃ］ごとにナビゲーション装置１から取得され、当該方位変化量を０．１〜０．５［ｓｅｃ］の間積算する。そして、処理はステップＳ１０２に進む。【００５４】
ステップＳ１０２では、制御部４は、ステップＳ１０１で積算された方位変化量から、単位時間当たり、具体的には１秒当たりの方位変化量［ｄｅｇ／ｓｅｃ］を計算する。そして、処理はステップＳ１０３に進む。【００５５】
ステップＳ１０３では、制御部４は、ステップＳ１０２で計算された１秒当たりの方位変化量が、所定値以上であるか否かを判定する。当該判定に用いる所定値は、車両の進行方向の実風景が大きく変わることで表示ずれが生じる可能性があるような方位変化量に基づいて定められる。例えば、当該所定値は３０［ｄｅｇ／ｓｅｃ］が用いられる。【００５６】
１秒当たりの方位変化量が所定値以上である場合（ステップＳ１０３：Ｙｅｓ）、処理はステップＳ１０４に進む。この場合には、制御部４は、表示ずれが生じ得る走行状態であるものと判断して、案内情報としてのルートを非表示とする（ステップＳ１０４）。そして、処理は終了する。【００５７】
これに対して、１秒当たりの方位変化量が所定値未満である場合（ステップＳ１０３：Ｎｏ）、処理はステップＳ１０５に進む。この場合には、制御部４は、表示ずれが生じるような走行状態ではないと判断して、案内情報としてのルートを表示させる（ステップＳ１０５）。そして、処理は終了する。【００５８】
以上説明した第１実施例によれば、車両の進行方向の単位時間あたりの方位変化量に基づいて、案内対象に対する表示ずれが生じるような走行状態であるか否かを判断して、案内情報の表示を適切に制限することができる。これにより、表示ずれによる違和感や誤認識などを適切に抑制することが可能となる。また、第１実施例によれば、案内情報を非表示とすることにより、旋回中における視界を適切に確保することが可能となる。【００５９】
（第２実施例）
次に、第２実施例について説明する。第２実施例でも、車両が旋回している場合に表示ずれが生じ得るとの考えに基づいて案内情報の表示を制限する点では、第１実施例と同様である。しかしながら、第１実施例では、実際の方位変化量（ナビゲーション装置１内の角速度センサ１２の出力に対応する量）に基づいて車両の旋回を判断していたが、第２実施例では、このような方位変化量を用いずに、地図データに基づいて車両の旋回についての判断を行う。つまり、第２実施例では、地図データに基づいて、車両の旋回といった走行状態が発生する可能性を判断して、案内情報の表示を制限する制御を行う。【００６０】
具体的には、第２実施例では、制御部４は、ナビゲーション装置１から地図データを取得して、地図データに基づいて、車両の進行方向に存在する、旋回が生じる可能性があるような地点を特定し、当該地点において案内情報の表示を制限する。より詳しくは、制御部４は、特定した地点までの距離が所定値未満となった際に、案内情報の表示を制限する。例えば、制御部４は、地図データに基づいて、旋回が生じる可能性があるような地点として交差点を特定し、当該交差点までの距離が所定値未満となった際に、案内情報としてのルートを非表示とする。【００６１】
図７は、第２実施例に係る処理フローを示している。この処理フローは、ヘッドアップディスプレイ２内の制御部４によって繰り返し実行される。【００６２】
まず、ステップＳ２０１では、制御部４は、ナビゲーション装置１内のデータ記憶ユニット３６に記憶された、現在位置付近の地図データを取得し、車両の進行方向に存在する交差点を特定する。そして、制御部４は、現在位置及び交差点の位置座標（地図データに含まれる）に基づいて、交差点までの距離を求める。例えば、制御部４は、１００［ｍｓｅｃ］ごとに当該距離を求める。そして、処理はステップＳ２０２に進む。【００６３】
ステップＳ２０２では、制御部４は、ステップＳ２０１で求められた距離が所定値未満であるか否かを判定する。当該判定で用いる所定値は、表示ずれを確実に抑制する観点から、ある程度の余裕をもって、交差点の手前の位置から交差点までの距離が用いられる。このような所定値を用いることで、表示ずれが生じ得る走行状態へと移行していく状態を判断している。例えば、当該所定値は２０［ｍ］が用いられる。【００６４】
交差点までの距離が所定値未満である場合（ステップＳ２０２：Ｙｅｓ）、処理はステップＳ２０３に進む。この場合には、制御部４は、表示ずれが生じ得る走行状態に移行するものと判断して、案内情報としてのルートを非表示とする（ステップＳ２０３）。そして、処理は終了する。【００６５】
これに対して、交差点までの距離が所定値以上である場合（ステップＳ２０２：Ｎｏ）、処理はステップＳ２０４に進む。この場合には、制御部４は、表示ずれが生じ得る走行状態に移行しないものと判断して、案内情報としてのルートを表示させる（ステップＳ２０４）。そして、処理は終了する。【００６６】
以上説明した第２実施例によれば、地図データに基づいて、表示ずれが生じるような走行状態についての判断を行って、案内情報の表示を適切に制限することができる。これによっても、表示ずれによる違和感や誤認識などを適切に抑制することが可能となる。また、第２実施例によれば、案内情報を非表示とすることにより、旋回中における視界を適切に確保することが可能となる。【００６７】
なお、上記した第２実施例に係る制御方法では、基本的には、車両の進行方向に存在する全ての交差点において、案内情報の表示を制限する制御が行われることとなる。つまり、右折又は左折を行わない直進する交差点についても（つまり車両が旋回しない交差点についても）、案内情報の表示が制限されることとなる。第２実施例の他の例では、ルートが設定されている場合に、当該ルートの情報から右折又は左折を行う交差点（つまり車両の旋回が生じる交差点）を特定して、そのように特定された交差点についてのみ、案内情報の表示を制限する制御を行うことができる。この場合にも、制御部４は、特定した交差点までの距離が所定値未満となった際に、案内情報（ルートなど）の表示を制限する。【００６８】
［変形例］
以下では、上記した実施例に好適な変形例について説明する。なお、下記の変形例は、任意に組み合わせて上述の実施例に適用することができる。【００６９】
（変形例１）
上記では、案内情報の表示の制限として、ルートや矢印や旗の表示を制限する例を示したが（図４参照）、案内情報の表示の制限として、所定の施設や場所を示す情報についての表示を制限しても良い。例えば、ランドマークや登録された地点（以下、「登録地点」と呼ぶ。）について、表示を制限することができる。このようなランドマークや登録地点についても、制御部４は、上記した実施例と同様の方法により、表示を制限する。例えば、制御部４は、方位変化量が所定値以上である場合に、ランドマークや登録地点を非表示とする。なお、交差点までの距離が所定値未満である場合に、ランドマークや登録地点を非表示としても良い。【００７０】
ここで、ルートなどの案内情報（図４参照）は、ルートが設定されている場合に表示されるものであるため、これらについてはルートが設定されている場合にのみ表示の制限を行うこととなる。他方で、ランドマークや登録地点などの案内情報は、ルートが設定されていない場合にも表示されるため、これらについてはルートが設定されているか否かによらずに表示の制限を行うこととなる。【００７１】
（変形例２）
上記では、車両が旋回している場合に、車両の進行方向の実風景が大きく変わることで表示ずれが生じ得るものと判断して、案内情報の表示を制限する例を示した（第１実施例参照）。つまり、車両が旋回している状態を、表示ずれが生じ得る走行状態として扱っていた。他の例では、車両が比較的速い速度で走行している状態を、表示ずれが生じ得る走行状態として扱って、案内情報の表示を制限することができる。車両が比較的速い速度で走行している場合にも、車両の進行方向の実風景が大きく変わるため、案内情報が遅れて表示されてしまう場合があるからである。【００７２】
具体的には、この変形例では、制御部４は、車速（ナビゲーション装置１内の自立測位装置１０（詳しくは距離センサ１３）によって検出された値など）が所定値以上である場合、例えば車速が８０［Ｋｍ／ｈ］以上である場合に、案内情報の表示を制限する。１つの例では、制御部４は、車速が所定値以上である場合に、ランドマークや登録地点を全て非表示とする。別の例では、制御部４は、車速が所定値以上である場合に、自車位置に比較的近い場所についてのランドマークや登録地点のみを非表示とし、自車位置からある程度離れた場所についてのランドマークや登録地点は表示する。なお、車速が所定値以上である場合に、ルートなども非表示としても良い。【００７３】
このような変形例によれば、車速に基づいて、表示ずれが生じるような走行状態についての判断を行って、案内情報の表示を適切に制限することができる。これによっても、表示ずれによる違和感や誤認識などを適切に抑制することが可能となる。また、当該変形例によれば、案内情報を非表示とすることにより、車両が比較的速い速度で走行している際において視界を適切に確保することが可能となる。【００７４】
（変形例３）
上記では、車両が旋回している場合や車両が比較的速い速度で走行している場合に、案内情報の表示を制限する例を示した（第１実施例及び変形例２参照）。この例では、車両が旋回している場合や車両が比較的速い速度で走行している場合には、車両の進行方向の実風景が大きく変わるため、表示ずれが生じ得るものと判断して、案内情報の表示を制限していた。他の例では、車両が傾斜を有する道路（つまり坂道）を走行しているような状態を、表示ずれが生じ得る走行状態として扱って、案内情報の表示を制限することができる。車両が傾斜を有する道路を走行している場合には、車両の進行方向の実風景が大きく変わることはないが、案内情報が適切な位置に表示されない場合があるからである。例えば、上り坂や下り坂を走行中において、上り坂や下り坂の先に位置する施設や場所を示す情報が道路から離れた場所（空中や地面など）に表示されてしまう場合がある。そのような場合には、ユーザに違和感や誤認識などを生じさせてしまう可能性がある。【００７５】
したがって、この変形例では、制御部４は、車両が傾斜を有する道路を走行している場合に、案内情報の表示を制限する。例えば、制御部４は、走行中の道路の傾斜角度（ナビゲーション装置１内の自立測位装置１０（詳しくは加速度センサ１１）によって検出された値や、ナビゲーション装置１内のデータ記憶ユニット３６に記憶された地図データが有する傾斜データなど）が所定角度以上である場合に、ランドマークや登録地点を非表示とする。なお、傾斜角度が所定角度以上である場合に、ルートなども非表示としても良い。【００７６】
このような変形例によれば、道路の傾斜に基づいて、表示ずれが生じるような走行状態についての判断を行って、案内情報の表示を適切に制限することができる。これによっても、表示ずれによる違和感や誤認識などを適切に抑制することが可能となる。【００７７】
（変形例４）
図１等の説明では、ヘッドアップディスプレイ２は、ナビゲーション装置１から案内情報などを受信して、案内情報の表示を制限する制御を行っていた。しかしながら、本発明が適用可能な構成はこれに限定はされない。他の例では、ナビゲーション装置１は、上記したヘッドアップディスプレイ２と同様に、案内情報の表示を制限する制御を行い、当該制御を行った後の案内情報をヘッドアップディスプレイ２に送信し（案内情報の全てを非表示にすることとした場合には、ヘッドアップディスプレイ２には案内情報を送信されない）、ヘッドアップディスプレイ２は、受信した案内情報を表示させることができる。この場合には、ナビゲーション装置１のシステムコントローラ２０は、ヘッドアップディスプレイ２の制御部４が行う処理の一部又は全部を行う。この例では、ナビゲーション装置１及びヘッドアップディスプレイ２は、本発明における「画像表示装置」の一例である。【００７８】
更に他の例では、ヘッドアップディスプレイ２は、ナビゲーション装置１と通信を行うことなく、案内情報を生成すると共に、案内情報の表示を制限する制御を行うことができる。この場合、ヘッドアップディスプレイ２に、ＧＰＳ受信機及び距離センサなどの自立測位装置を具備させると共に、地図データなどをメモリに記憶させておけば、当該ヘッドアップディスプレイ２は、案内情報を生成して、当該案内情報の表示を制限する制御を行うことができる。【００７９】
（変形例５）
本発明は、車両の進行方向の実風景をカメラによって撮影し、撮影により得られた実写画像（撮影画像）に重ね合わせて、案内情報を、実写画像に含まれる案内対象に対して所定の位置又は角度をもって表示させるような装置にも適用することができる。例えば、本発明は、内蔵するカメラの実写画像を用いて、ＡＲ表示によってナビゲーションを行うスマートフォンなどに適用することができる。このような装置に本発明を適用する場合にも、上記した実施例や変形例と同様の方法により、車両の走行状態に応じて、案内情報の表示を制限する制御を行うことができる。【００８０】
（変形例６）
本発明は、上記したような装置（ナビゲーション装置１やヘッドアップディスプレイ２など）への適用に限定はされない。本発明は、ＡＲ表示を実現可能な種々の装置に適用することができる。例えば、本発明は、ヘッドマウントディスプレイに適用することができる。
【産業上の利用可能性】
【００８１】
本発明は、ヘッドアップディスプレイやナビゲーション装置（スマートフォンなどの携帯電話も含む）などに適用することができる。
【符号の説明】
【００８２】
１  ナビゲーション装置
２  ヘッドアップディスプレイ
３  光源ユニット
４  制御部
９  コンバイナ
【図１】
0005964332.tif 000002
【図２】
0005964332.tif 000003
【図３】
0005964332.tif 000004
【図４】
0005964332.tif 000005
【図５】
0005964332.tif 000006
【図６】
0005964332.tif 000007
【図７】
0005964332.tif 000008